【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
シートを案内する案内路と、
前記案内路を案内されるシートを搬送可能な搬送手段と、
前記案内路を開閉可能な開閉部材と、
前記開閉部材に配置され、前記開閉部材が閉められた状態では、シートと接しないときに自重で位置する第１の位置と前記搬送手段に搬送されるシートに押し退けられて移動する第２の位置との間を移動自在で、該シートを案内するガイド部と、
前記開閉部材が開かれた状態で前記ガイド部の前記第１の位置から前記第２の位置への移動を規制する規制手段と、を備えた、
ことを特徴とするシート案内装置。
【請求項２】
前記規制手段は、
前記開閉部材が開かれた状態で前記ガイド部を前記第１の位置に止める、
ことを特徴とする請求項１に記載のシート案内装置。
【請求項３】
前記案内路は、第１の案内路であって、
前記第１の案内路に案内されるシートを搬送する搬送方向とは逆方向へシートを搬送可能な反転搬送手段と、
前記反転搬送手段によって逆送されるシートを案内する第２の案内路と、をさらに備え、
前記ガイド部は、前記第１の位置から前記第２の位置への移動により前記第１の案内路にシートを案内し、前記第１の位置で前記反転搬送手段によって逆送されるシートを前記第２の案内路へ案内する、
ことを特徴とする請求項１又は請求項２に記載のシート案内装置。
【請求項４】
前記規制手段は、
前記開閉部材に設けられて、前記ガイド部に対して接離可能な作動部材を備え、
前記作動部材は、前記開閉部材が閉められた状態で前記ガイド部から離間し、前記ガイド部を移動自在な状態にし、前記開閉部材が開かれた状態で前記ガイド部に当接し、前記ガイド部の前記第２の位置への移動を規制する、
ことを特徴とする請求項１乃至３のいずれか１項に記載のシート案内装置。
【請求項５】
前記規制手段は、
前記ガイド部に対して前記作動部材を付勢させる付勢部材を備え、
前記作動部材は、前記開閉部材が閉められた状態で前記付勢部材に抗して前記ガイド部から離間し、前記ガイド部を移動可能な状態にし、前記開閉部材が開かれた状態で前記付
勢部材に付勢されて前記ガイド部に当接し、前記ガイド部の前記第２の位置への移動を規制する、
ことを特徴とする請求項４に記載のシート案内装置。
【請求項６】
装置本体と、
シートに画像を形成する画像形成手段と、
前記画像形成手段によって画像を形成されたシートを案内する請求項１乃至５のいずれか１項に記載のシート案内装置と、を備え、
前記開閉部材は、前記装置本体を開閉可能な扉である、
ことを特徴とする画像形成装置。
【手続補正２】
【補正対象書類名】明細書
【補正対象項目名】０００６
【補正方法】変更
【補正の内容】
【０００６】
本発明のシート案内装置は、シートを案内する案内路と、前記案内路を案内されるシートを搬送可能な搬送手段と、前記案内路を開閉可能な開閉部材と、前記開閉部材に配置され、前記開閉部材が閉められた状態では、シートと接しないときに自重で位置する第１の位置と前記搬送手段に搬送されるシートに押し退けられて移動する第２の位置との間を移動自在で、該シートを案内するガイド部と、前記開閉部材が開かれた状態で前記ガイド部の前記第１の位置から前記第２の位置への移動を規制する規制手段と、を備えた、ことを特徴としている。
【手続補正３】
【補正対象書類名】明細書
【補正対象項目名】００１８
【補正方法】変更
【補正の内容】
【００１８】
図２に示すように、トナー像を転写されたシートＰは、定着器１２８によって搬送されながら切替部材７１を実線の位置（第１の位置）から破線の位置（第２の位置）に押し退けて、排出ローラ対１３０に送られる。ここで、切替部材７１は、自重によって図２の実線で示す位置に位置している。そのため、切替部材７１は、搬送されるシートＰの先端によって押し上げられることでシートの通過を許容する。その後、シートが切替部材７１を通過すると、切替部材７１は自重によって破線の位置（第２の位置）から実線の位置（第１の位置）へと戻る。シートに対して片面（１面目）側だけに画像を形成する場合、トナー像が定着されたシートは、排出ローラ対１３０によって排出トレイ１３２の外部に排出されて積載される。
【手続補正４】
【補正対象書類名】明細書
【補正対象項目名】００１９
【補正方法】変更
【補正の内容】
【００１９】
一方、シートに対して両面に画像を形成する場合、定着器１２８によってシートの１面
目にトナー像が定着されたシートは、排出ローラ対１３０によってシートを排出方向Ａに
搬送される。その後、排出ローラ対（反転搬送手段）１３０はシートの後端Ｐａが切替部材７１を通過すると逆転して、シートを逆送させる。なお、排出ローラ対１３０がシートを逆送するタイミングは、画像形成案内路１３６を搬送されてきたシートが、画像形成案内路１３６を横切っているセンサフラグ１３３(図３)を押し退けて通過し終わってから所定時間後に設定されている。センサフラグ１３３は、定着器１２８をシートの後端Ｐａが通過したか否かを検出するセンサであり、定着器１２８と切替部材７１との間の定着器寄りに設けられている。
【手続補正５】
【補正対象書類名】明細書
【補正対象項目名】００２０
【補正方法】変更
【補正の内容】
【００２０】
排出ローラ対１３０がシートを逆送するとき、シートの後端Ｐａが切替部材７１を通過
した後なので、切替部材７１は自重によって図２に示す破線の位置（第２の位置）から実線の位置（第１の位置）に戻っており、背面７１ｃで、逆送されるシートを反転案内路１３８に案内する。この間、シートは、スイッチバック搬送されたことになり、裏返しになっている。反転案内路１３８は、排出ローラ対１３０からレジストローラ対１２２までシートを案内するようになっている。シートは、反転案内路１３８の案内と、反転搬送ローラ対１３９の搬送等によって、レジストローラ対１２２に送られる。そして、感光ドラム１１２のトナー像をシートの２面目に転写される。そして、シートは、定着器１２８によってシート反転後の２面目にトナー像を定着され、排出ローラ対１３０によって排出トレイ１３２に排出される。これによって、シートは、両面にトナー像を形成されたことになる。
【手続補正６】
【補正対象書類名】明細書
【補正対象項目名】００２６
【補正方法】変更
【補正の内容】
【００２６】
排出ローラ対（図２、反転搬送手段）１３０は、シートを排出方向（矢印Ａ方向）に搬送可能である。そして、排出ローラ対１３０は、シートを排出方向に搬送途中において、シートの後端Ｐａが切替部材７１を通過すると、逆転してシートを逆方向（矢印Ｂ方向）へ搬送可能（逆送可能）になっている。
【手続補正７】
【補正対象書類名】明細書
【補正対象項目名】００３５
【補正方法】変更
【補正の内容】
【００３５】
反転案内路１３８にシートが詰まったとき、反転案内路１３８は、ユーザが、フック８２を装置本体の不図示の被係合部から外して、処理扉８０を図３の状態から、図４のように矢印Ｃ１方向に回転させると、開くことができる。また、反転案内路１３８に設けられている反転搬送ローラ対１３９の一方のローラ１３９ａが、装置本体側に設けられている他方のローラ１３９ｂから離間する。さらに、処理扉８０に設けられている切替部材７１も、装置本体側から離れる。
【手続補正８】
【補正対象書類名】明細書
【補正対象項目名】００３６
【補正方法】変更
【補正の内容】
【００３６】
したがって、本実施形態のシート案内装置２００は、反転案内路１３８、反転搬送ローラ対１３９、及び切替部材７１に詰まっているシートを容易に除去することができるようになっている。
【手続補正９】
【補正対象書類名】明細書
【補正対象項目名】００４０
【補正方法】変更
【補正の内容】
【００４０】
したがって、切替部材７１は、規制リンク７３を介して規制ばね７４の付勢力を受けて、ストッパ７７に受け止められて回転止めされているため、処理扉８０を開いたとき、不必要な回転をすることなく、周辺部品等に干渉して損傷を受けることを防止される。
【手続補正１０】
【補正対象書類名】明細書
【補正対象項目名】００４５
【補正方法】変更
【補正の内容】
【００４５】
７０：作動規制機構（規制手段）、７１：切替部材（ガイド部）、７３：規制リンク(作動部材)、７４：規制ばね(付勢部材)、７５：突起、７６：規制部、７７：ストッパ、８０：処理扉(開閉部材、外壁)、１００：画像形成装置、１００Ａ：装置本体、１０３：画像読取装置、１２８：定着器、１３０：排出ローラ対（反転搬送手段）、１３６：画像形成案内路(案内路、第１の案内路)、１３８：反転案内路(第２の案内路)、１６２：画像形成部（画像形成手段）、シート案内装置２００、Ｐ：シート、Ｄ：原稿、Ｃ１，Ｃ２：回転方向。